【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
基板部に設けられたスイッチと、
一端に支点が、他端に作動部が、中間位置に操作部がそれぞれ設けられた操作部材とを有し、
上記作動部が上記スイッチに対応して位置づけられ、上記操作部が押圧操作されることにより上記操作部材が上記支点を中心に回動して、当該操作部材の上記作動部が上記スイッチを作動させるよう構成され、
前記操作部材は複数本が樹脂にて一体成形され、各々が独立して操作され得るように、変形可能な変形部により連結された、
ことを特徴とするスイッチ機構。
【請求項２】
基板部に設けられたスイッチと、
一端に操作部が、他端に作動部が、中間位置に支点がそれぞれ設けられた操作部材とを有し、
上記作動部が上記スイッチに対応して位置づけられ、上記操作部が押圧操作されることにより上記操作部材が上記支点を中心に回動して、当該操作部材の上記作動部が上記スイッチを作動させるよう構成され、
前記操作部材は複数本が樹脂にて一体成形され、各々が独立して操作され得るように、変形可能な変形部により連結された、
ことを特徴とするスイッチ機構。
【請求項３】
上記変形部が、操作部材の支点側に設けられたことを特徴とする請求項１または請求項２に記載のスイッチ機構。
【請求項４】
走行可能なキャリッジに搭載された記録ヘッドがシートに画像を記録し、前方側に操作パネルを備えた記録装置において、
後方側に配置される基板部に設けられた操作スイッチと、
一端に支点が、他端に作動部が、中間位置に操作ボタンがそれぞれ設けられた操作部材とを有し、
上記操作ボタンが上記操作パネル内に配置されると共に、上記作動部が上記操作スイッチに対応して位置づけられ、
上記操作ボタンが押圧操作されることにより上記操作部材が上記支点を中心に回動して、当該操作部材の上記作動部が上記操作スイッチを作動させるよう構成され、前記操作部材は複数本が樹脂にて一体成形され、各々が独立して操作され得るように、変形可能な変形部により連結されたことを特徴とする記録装置。
【請求項５】
走行可能なキャリッジに搭載された記録ヘッドがシートに画像を記録し、前方側に操作パネルを備えた記録装置において、
後方側に配置される基板部に設けられた操作スイッチと、
一端に操作ボタンが、他端に作動部が、中間位置に支点がそれぞれ設けられた操作部材とを有し、
上記操作ボタンが上記操作パネル内に配置されると共に、上記作動部が上記操作スイッチに対応して位置づけられ、
上記操作ボタンが押圧操作されることにより上記操作部材が上記支点を中心に回動して、当該操作部材の上記作動部が上記操作スイッチを作動させるよう構成され、
前記操作部材は複数本が樹脂にて一体成形され、各々が独立して操作され得るように、変形可能な変形部により連結されたことを特徴とする記録装置。
【請求項６】
上記変形部が、操作部材の支点側に設けられたことを特徴とする請求項４または請求項５に記載の記録装置。
【請求項７】
上記操作パネルはケースに設けられ、操作部材は、上記ケースに係合されるパネルカバーによって支点側が押圧されて、上記ケースと上記パネルカバー間に支持されたことを特徴とする請求項４乃至６のいずれかに記載の記録装置。
【手続補正２】
【補正対象書類名】明細書
【補正対象項目名】０００９
【補正方法】変更
【補正の内容】
【０００９】
【課題を解決するための手段】
請求項１に記載の発明は、基板部に設けられたスイッチと、一端に支点が、他端に作動部が、中間位置に操作部がそれぞれ設けられた操作部材とを有し、上記作動部が上記スイッチに対応して位置づけられ、上記操作部が押圧操作されることにより上記操作部材が上記支点を中心に回動して、当該操作部材の上記作動部が上記スイッチを作動させるよう構成され、前記操作部材は複数本が樹脂にて一体成形され、各々が独立して操作され得るように、変形可能な変形部により連結された、ことを特徴とするものである。
【手続補正３】
【補正対象書類名】明細書
【補正対象項目名】００１０
【補正方法】変更
【補正の内容】
【００１０】
請求項２に記載の発明は、基板部に設けられたスイッチと、一端に操作部が、他端に作動部が、中間位置に支点がそれぞれ設けられた操作部材とを有し、上記作動部が上記スイッチに対応して位置づけられ、上記操作部が押圧操作されることにより上記操作部材が上記支点を中心に回動して、当該操作部材の上記作動部が上記スイッチを作動させるよう構成され、記操作部材は複数本が樹脂にて一体成形され、各々が独立して操作され得るように、変形可能な変形部により連結された、ことを特徴とするものである。
【手続補正４】
【補正対象書類名】明細書
【補正対象項目名】００１１
【補正方法】変更
【補正の内容】
【００１１】
請求項３に記載の発明は、請求項１または請求項２に記載の発明において、上記変形部が、操作部材の支点側に設けられたことを特徴とするものである。
【手続補正５】
【補正対象書類名】明細書
【補正対象項目名】００１２
【補正方法】変更
【補正の内容】
【００１２】
請求項４に記載の発明は、走行可能なキャリッジに搭載された記録ヘッドがシートに画像を記録し、前方側に操作パネルを備えた記録装置において、後方側に配置される基板部に設けられた操作スイッチと、一端に支点が、他端に作動部が、中間位置に操作ボタンがそれぞれ設けられた操作部材とを有し、上記操作ボタンが上記操作パネル内に配置されると共に、上記作動部が上記操作スイッチに対応して位置づけられ、上記操作ボタンが押圧操作されることにより上記操作部材が上記支点を中心に回動して、当該操作部材の上記作動部が上記操作スイッチを作動させるよう構成され、前記操作部材は複数本が樹脂にて一体成形され、各々が独立して操作され得るように、変形可能な変形部により連結されたことを特徴とするものである。
【手続補正６】
【補正対象書類名】明細書
【補正対象項目名】００１３
【補正方法】変更
【補正の内容】
【００１３】
請求項５に記載の発明は、走行可能なキャリッジに搭載された記録ヘッドがシートに画像を記録し、前方側に操作パネルを備えた記録装置において、後方側に配置される基板部に設けられた操作スイッチと、一端に操作ボタンが、他端に作動部が、中間位置に支点がそれぞれ設けられた操作部材とを有し、上記操作ボタンが上記操作パネル内に配置されると共に、上記作動部が上記操作スイッチに対応して位置づけられ、上記操作ボタンが押圧操作されることにより上記操作部材が上記支点を中心に回動して、当該操作部材の上記作動部が上記操作スイッチを作動させるよう構成され、前記操作部材は複数本が樹脂にて一体成形され、各々が独立して操作され得るように、変形可能な変形部により連結されたことを特徴とするものである。
【手続補正７】
【補正対象書類名】明細書
【補正対象項目名】００１４
【補正方法】変更
【補正の内容】
【００１４】
請求項６に記載の発明は、請求項４または請求項５に記載の発明において、上記変形部が、操作部材の支点側に設けられたことを特徴とするものである。
【手続補正８】
【補正対象書類名】明細書
【補正対象項目名】００１５
【補正方法】変更
【補正の内容】
【００１５】
請求項７に記載の発明は、請求項４乃至６のいずれかに記載の発明において、上記操作パネルはケースに設けられ、操作部材は、上記ケースに係合されるパネルカバーによって支点側が押圧されて、上記ケースと上記パネルカバー間に支持されたことを特徴とするものである。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００５４
【補正方法】変更
【補正の内容】
【００５４】
【発明の効果】
請求項１乃至３に記載の発明に係るスイッチ機構によれば、操作性及び視認性を良好に確保しつつコストを低減できる。
【手続補正１２】
【補正対象書類名】明細書
【補正対象項目名】００５５
【補正方法】変更
【補正の内容】
【００５５】
請求項４乃至７に記載の発明に係る記録装置によれば、操作性及び視認性を良好に確保しつつコストを低減できる。